(57)【要約】【課題】  軒樋用ドレンを一体形成することによって製造コストの削減を図るとともに、軒樋への取付施工を簡単に短時間で行うことができ、しかも、十分な水密性や耐久性を備えた軒樋用ドレンを提供する。【解決手段】  軒樋底板１２の上方に位置する上ドレン部２２と、底板１２の開口１６に挿通されて底板下方に突出する下ドレン部２３と、上下ドレン部の間に設けられて開口周辺の底板上面に当接するフランジ部２４と、フランジ部の下面内周と下ドレン部の上端外周とにわたって設けられたパッキン装着部２６とを一体形成し、下ドレン部を上方から開口に挿通してフランジ部の下面を底板上面に当接させたときに、パッキン装着部に装着したパッキン２５が開口の内周に嵌合するように形成する。【選択図】  図１
2005320719.tif 000002
【特許請求の範囲】
【請求項１】
軒樋底板に設けられた開口に装着される軒樋用ドレンにおいて、前記軒樋底板の上方に位置する上ドレン部と、前記開口に挿通されて底板下方に突出する下ドレン部と、前記上下ドレン部の間に設けられて前記開口周辺の軒樋底板上面に当接するフランジ部と、該フランジ部の下面内周と下ドレン部の上端外周とにわたって設けられたパッキン装着部とを一体形成するとともに、前記パッキン装着部にリング状のパッキンを装着した軒樋用ドレンであって、前記下ドレン部を軒樋底板の上方から前記開口に挿通して前記フランジ部の下面を軒樋底板上面に当接させたときに、前記パッキンが開口の内周に嵌合するように形成されていることを特徴とする軒樋用ドレン。
【請求項２】
前記フランジ部下面は、前記軒樋底板上面に接着剤を介して接合されることを特徴とする請求項１記載の軒樋用ドレン。
【発明の詳細な説明】
【技術分野】
【０００１】
本発明は、軒樋用ドレンに関し、詳しくは、軒樋の底板に取り付けられて雨水を縦樋に流下させるための軒樋用ドレンに関する。
【背景技術】
【０００２】
軒樋底板に取り付けられる従来の軒樋用ドレンは、軒樋底板に設けられた開口に上方から挿入される上ドレン部材と、軒樋底板の下方に突出した上ドレン部材の下部に装着される下ドレン部材とで形成されており、上ドレン部材の下部と下ドレン部材とは、ねじ結合や凹凸係合によって連結し、上下両ドレン部材の双方又はいずれか一方のドレン部材と軒樋底板との間にパッキンを装着した状態で、両ドレン部材により軒樋底板を挟み込むようにして取り付けられていた（例えば、特許文献１参照。）。
【特許文献１】特開２００２−３１７５３６号公報
【発明の開示】
【発明が解決しようとする課題】
【０００３】
しかし、ねじ結合、凹凸係合のいずれの場合でも、パッキン等を含めて複数の部材が必要で、製造コストが嵩むだけでなく、上下両ドレン部材を両手で持った状態で軒樋への取付作業を行う必要があり、作業性が良いとはいえなかった。また、高所での作業であることから、より簡単に取付作業を行うことができる構造の軒樋用ドレンが望まれている。
【０００４】
そこで本発明は、軒樋用ドレンを一体形成することによって製造コストの削減を図るとともに、軒樋への取付施工を簡単に短時間で行うことができ、しかも、十分な水密性や耐久性を備えた軒樋用ドレンを提供することを目的としている。
【課題を解決するための手段】
【０００５】
上記目的を達成するため、本発明の軒樋用ドレンは、軒樋底板に設けられた開口に装着される軒樋用ドレンにおいて、前記軒樋底板の上方に位置する上ドレン部と、前記開口に挿通されて底板下方に突出する下ドレン部と、前記上下ドレン部の間に設けられて前記開口周辺の軒樋底板上面に当接するフランジ部と、該フランジ部の下面内周と下ドレン部の上端外周とにわたって設けられたパッキン装着部とを一体形成するとともに、前記パッキン装着部にリング状のパッキンを装着した軒樋用ドレンであって、前記下ドレン部を軒樋底板の上方から前記開口に挿通して前記フランジ部の下面を軒樋底板上面に当接させたときに、前記パッキンが開口の内周に嵌合するように形成されていることを特徴とし、さらに、前記フランジ部下面が前記軒樋底板上面に接着剤を介して接合されることを特徴としている。
【発明の効果】
【０００６】
本発明の軒樋用ドレンによれば、軒樋底板の上部側に位置する上ドレン部と下部側に位置する下ドレン部とが一体に形成されているので、下ドレン部を軒樋上方から開口に挿入して押さえ付けるだけで軒樋用ドレンを軒樋底板に取り付けることができ、軒樋用ドレンの取付作業が容易となる。また、上下ドレン部間にフランジ部を設け、このフランジの下部に、軒樋底板の開口部内周に嵌合するパッキンを装着しているので、十分な水密性を得ることができる。さらに、フランジ部下面を接着剤を介して軒樋底板上面に接合することにより、軒樋用ドレンを軒樋底板に確実に固着することができる。
【発明を実施するための最良の形態】
【０００７】
図１乃至図３は、本発明の軒樋用ドレンの第１形態例を示すもので、図１は軒樋用ドレンを軒樋底板に取り付けた状態を示す縦断面図、図２は軒樋用ドレンの平面図、図３は軒樋用ドレンの一部切欠斜視図である。
【０００８】
まず、軒樋１１は、平板状の底板１２と、底板１２の後方（建屋側）から立ち上がった後部壁１３と、底板１２の前方から後部壁１３よりも大きく立ち上がった前部壁１４とを有する合成樹脂製のものであって、縁部や屈曲部には、長手方向の中空部１５が複数設けられている。そして、底板１２の幅方向略中央には、軒樋用ドレン２１を取り付けるための開口１６が設けられている。
【０００９】
軒樋用ドレン２１は、底板１２の上方に位置する上ドレン部２２と、前記開口１６に挿通されて底板１２の下方に突出する下ドレン部２３とを有するものであって、上下ドレン部２２，２３の間には、開口１６より大径で、その下面が底板１２の上面に当接するフランジ部２４が設けられている。さらに、フランジ部２４の内周側下面と下ドレン部２３の上端外周面との部分には、パッキン２５を装着するためのパッキン装着部となるパッキン装着溝２６が円環状に設けられている。また、上ドレン部２２の上方には、大きなゴミや枯葉等が流入することを防止するスクリーン部２７が設けられている。この軒樋用ドレン２１は、ポリ塩化ビニル系樹脂、ポリカーボネート系樹脂、ポリエステル系樹脂、アクリル系樹脂等を射出成形することによって一体成形したものであって、各樹脂材料には、耐候性を得るための酸化チタンやその他の添加剤を適宜使用することもできる。
【００１０】
下ドレン部２３は、開口１６の内径に等しいか、僅かに小さな外径を有しており、開口１６を貫通した下部が縦樋の上部受口に挿入され、接着等により固定される。パッキン２５は、前記パッキン装着溝２６に装着された状態で、フランジ部２４の内周側下面と底板１２の開口周辺部上面との間に挟持される水平片と、下ドレン部２３の上端外周面と開口１６の内周面との間に嵌合する垂直片とを有する断面Ｌ字状のものであって、垂直片の外径は、開口１６の内径に等しいか、僅かに大きな外径を有している。また、パッキン２５は、ゴム、ブチルゴム、シリコンゴム、ウレタンゴム等の適当な弾性を有する材料によってリング状に形成されている。
【００１１】
このように形成された軒樋用ドレン２１は、パッキン装着溝２６にパッキン２５を装着し、フランジ部２４の下面外周の底板上面との当接部に接着剤２８を塗布した状態で、下ドレン部２３を開口１６に上方から挿通し、フランジ部２４の下面及びパッキン２５の水平片下面を底板１２の上面に当接させることによって軒樋１１の所定位置に取り付けられる。使用する接着剤は、軒樋１１及び軒樋用ドレン２１の材質によって適当なものを選択することができ、例えば、ウレタン系、エポキシ系、エステル系、アクリル系、ゴム系などの接着剤を使用することができる。
【００１２】
上述のようにして下ドレン部２３を開口１６に挿通することにより、パッキン２５の垂直片が開口１６の内周に嵌合するとともに、水平片がフランジ部２４下面と底板１２上面とに挟持された状態となるので、軒樋１１と軒樋用ドレン２１との水密性が確保される。また、パッキン２５の垂直片を底板１２の厚みに対応した寸法に設定しておくことにより、パッキン２５に直射日光が当たることがなく、パッキン２５の劣化を抑制できる。
【００１３】
図４乃至図７は、本発明の軒樋用ドレンにおけるパッキン装着溝及びパッキンの他の形状例をそれぞれ示す要部の縦断面図である。なお、以下の説明において、前記形態例で示した各構成要素と同一の構成要素には、それぞれ同一符号を付して詳細な説明は省略する。
【００１４】
まず、図４に示す軒樋用ドレンでは、パッキン３１として、前記パッキン２５に比べて垂直片３１ａを長く形成し、垂直片３１ａの下部が底板１２よりも僅かに下方に突出するようにしたものであり、これに伴ってパッキン装着溝３２における下ドレン部２３の上端外周面部分を幅広に形成している。
【００１５】
図５に示す軒樋用ドレンでは、下ドレン部２３の上端外周面にパッキン装着溝を設けずにパッキン装着部を形成し、図４に示したものと略同形状のパッキン３３を嵌着したものである。このように、フランジ部２４の内周側下面にのみパッキン装着溝３４を設けても、パッキン３３を確実に保持できるとともに、十分な止水性を得られる。
【００１６】
図６に示す軒樋用ドレンでは、外周に周方向の溝を有する断面コ字状のパッキン３５をパッキン装着溝３６に装着し、パッキン３５の下部水平片３５ａを弾性変形させて開口１６に圧入するようにしたものである。このような断面コ字状のパッキン３５を用いて圧入嵌合させることにより、開口１６の内周部上下両面を挟み込むことによって水密性をより向上させることができる。
【００１７】
図７に示す軒樋用ドレンでは、図６に示したパッキン３５と略同形状のパッキン３７を装着するパッキン装着溝３８の下部に位置する下ドレン部２３の上端外周面を開口１６の内径よりも大径に突出させた係合リブ３９を設け、該係合リブ３９の下方の軒樋用ドレン２１の外周面を、上方に向かって円錐状に拡開させたテーパー面３９ａとしたものである。このような係合リブ３９を設けることにより、軒樋用ドレン２１が底板１２の開口１６から上方に抜け出ることを確実に防止でき、接着剤２８を使用しなくても軒樋用ドレン２１を底板１２に固着することができる。
【００１８】
なお、本発明の軒樋用ドレンは、軒樋１１が合成樹脂製、金属製のいずれにも対応可能であり、各種形状の軒樋に適用できる。また、開口１６に下ドレン部２３を挿通する際、必要に応じて軒樋を下方から支持することにより、軒樋１１の変形や破損を確実に防止できる。
【００１９】
このように、上下ドレン部２２，２３やフランジ部２４等を一体成形することにより、部材点数の削減によって製造コストや部材の管理に要するコストを手限することができる。また、パッキンも含めて一体化した軒樋用ドレン２１を上方から押さえ込むだけで施工できるので、上ドレン部材と下ドレン部材とをねじ結合するものに比べて短時間で簡単に軒樋用ドレンを取り付けることができ、施工効率が大幅に向上して施工コストの低減も図れる。
【図面の簡単な説明】
【００２０】
【図１】本発明の軒樋用ドレンを軒樋底板に取り付けた一形態例を示す縦断面図である。
【図２】軒樋用ドレンの平面図である。
【図３】軒樋用ドレンの一部切欠斜視図である。
【図４】本発明の軒樋用ドレンにおけるパッキン装着溝及びパッキンの他の形状例を示す要部の縦断面図である。
【図５】本発明の軒樋用ドレンにおけるパッキン装着溝及びパッキンの更に他の形状例を示す要部の縦断面図である。
【図６】本発明の軒樋用ドレンにおけるパッキン装着溝及びパッキンの更に他の形状例を示す要部の縦断面図である。
【図７】本発明の軒樋用ドレンにおけるパッキン装着溝及びパッキンの更に他の形状例を示す要部の縦断面図である。
【符号の説明】
【００２１】
１１…軒樋、１２…底板、１３…後部壁、１４…前部壁、１５…中空部、１６…開口、２１…軒樋用ドレン、２２…上ドレン部、２３…下ドレン部、２４…フランジ部、２５…パッキン、２６…パッキン装着溝、２７…スクリーン部、２８…接着剤、３１，３３，３５，３７…パッキン、３２，３４，３８…パッキン装着溝、３９…係合リブ
【図１】
2005320719.tif 000003
【図２】
2005320719.tif 000004
【図３】
2005320719.tif 000005
【図４】
2005320719.tif 000006
【図５】
2005320719.tif 000007
【図６】
2005320719.tif 000008
【図７】
2005320719.tif 000009